(57)【要約】      （修正有）【課題】簡単な構成で、液体を十分に排出することができ、被分級物の固体を取り残すことなく移送することができる分級機を提供する。【解決手段】液体と固体とを含む被分級物から固体のみを下流側に移送させるために、下流側が上方になるように傾斜して配設されたメッシュ状の羽根を有する螺旋状のスクリュー４を備えたことにより、スクリュー羽根のメッシュ穴を被分級物の液体が通過できるため、移送中の被分級物の水切りを十分に行うことができ、スクリュー羽根の負担を軽減し、固体のみを分級機の上流側から下流側へ移送することができる。【選択図】図２
2009101281.tif 000002
【特許請求の範囲】
【請求項１】
液体と固体とを含む被分級物から固体のみを下流側に移送させるために、下流側が上方になるように傾斜して配設されたメッシュ状の羽根を有する螺旋状のスクリューを備えたことを特徴とするメッシュ状スパイラルスクリュー分級機。
【請求項２】
前記スクリューの上流側の側方に、該スクリューに対して直角に配設され、該スクリューにより被分級物に含まれる固体が移送された際、下流側に移送されなかった残りの固体を再移送させるための横スクリューを備えたことを特徴とする請求項１に記載のメッシュ状スパイラルスクリュー分級機。
【請求項３】
前記横スクリューを複数備えたことを特徴とする請求項２に記載のメッシュ状スパイラルスクリュー分級機。
【請求項４】
前記横スクリューの羽根を、メッシュ状にしたことを特徴とする請求項２又は３に記載のメッシュ状スパイラルスクリュー分級機。
【発明の詳細な説明】
【技術分野】
【０００１】
本発明は、液体と固体とを含む被分級物から固体のみを移送させる分級機に関する。
【背景技術】
【０００２】
従来、液体と固体とを含む被分級物から固体のみを移送させる技術としては、下記特許文献１の開示技術が存在している。
特許文献１に記載のスクリューコンベアにおいては、図３に示すように、汚砂洗浄槽（１０）の汚水面（１１）から上方に向けて傾斜して下流側に延出するケーシング（１２）を備え、汚砂洗浄槽（１０）の底部に沿って配設された槽底部に沈降した洗浄砂（１０）を、ケーシング（１２）に沿って配設されたスクリューコンベア（１１）により下流側に移動し、ケーシング（１２）上部から排出するものである。
また、汚水面上流側のケーシング（１２）下側の少なくとも洗浄砂進行方向に向かってスクリュー回転方向側に脱水孔（図示せず）を形成しており、脱水孔から排水を行っている。
【特許文献１】実開昭６０−１６５０４６号公報
【発明の開示】
【発明が解決しようとする課題】
【０００３】
しかしながら、上記方法では、脱水孔により汚水を排出するようにしているが、スクリュー羽根（１２）が固体だけでなく液体も移送してしまうものであり、汚水がスクリュー羽根（１２）に対して負担となり、スクリューの回転が悪くなったり、水切りが悪く汚水が十分に排出されないという問題があった。
また、スクリューコンベア（１１）により一度だけ固体を移送するものであり、どうしても固体（洗浄砂）の取り残しが存在するものであった。
【０００４】
本発明は、このような課題に鑑みてなされたものであり、簡単な構成で、液体を十分に排出することができ、被分級物の固体を取り残すことなく移送することができる分級機を提供することを目的としている。
【課題を解決するための手段】
【０００５】
上記目的を達成するために、請求項１に係る発明は、液体と固体とを含む被分級物から固体のみを下流側に移送させるために、下流側が上方になるように傾斜して配設されたメッシュ状の羽根を有する螺旋状のスクリューを備えたことを特徴とするものである。
【０００６】
請求項２に係る発明は、請求項１に記載の発明において、前記スクリューの上流側の側方に、該スクリューに対して直角に配設され、該スクリューにより被分級物に含まれる固体が移送された際、下流側に移送されなかった残りの固体を再移送させるための横スクリューを備えたことを特徴とするものである。
【０００７】
請求項３に係る発明は、請求項２に記載の発明において、前記横スクリューを複数備えたことを特徴とするものである。
【０００８】
請求項４に係る発明は、請求項２又は３に記載の発明において、前記横スクリューの羽根を、メッシュ状にしたことを特徴とするものである。
【発明の効果】
【０００９】
請求項１に係る発明は、液体と固体とを含む被分級物から固体のみを下流側に移送させるために、下流側が上方になるように傾斜して配設されたメッシュ状の羽根を有する螺旋状のスクリューを備えたものである。
これにより、スクリューの羽根のメッシュ孔を、被分級物の液体が通過できるため、移送中の被分級物の水切りを十分に行うことができ、スクリューの羽根の負担を軽減し、固体のみを分級機の上流側から下流側へ移送することができる。
【００１０】
請求項２に係る発明は、請求項１に記載の発明において、前記スクリューの上流側の側方に、該スクリューに対して直角に配設され、該スクリューにより被分級物に含まれる固体が移送された際、下流側に移送されなかった残りの固体を再移送させるための横スクリューを備えたものである。
これにより、メッシュ状のスクリューで上流側から下流側に移送しきれなかった残りの固体を横スクリューにより移送し、メッシュ状のスクリューの上流側に受け渡し、メッシュ状のスクリューで再移送することができ、被分級物から固体を取り残すことなく分級機の下流側へ確実に移送することが可能となる。
【００１１】
請求項３に係る発明は、請求項２に記載の発明において、前記横スクリューを複数備えたものである。
これにより、メッシュ状のスクリューにより取り残された固体を複数の横スクリューで確実にメッシュ状のスクリューの上流側に受け渡し、再移送することができる。
【００１２】
請求項４に係る発明は、請求項２又は３に記載の発明において、前記横スクリューの羽根を、メッシュ状にしたものである。
これにより、横スクリューの羽根のメッシュ孔を、被分級物の液体が通過できるため、移送中の被分級物の水切りを十分に行うことができ、横スクリューの羽根に負担をかけることなく、固体のみをメッシュ状のスクリューに向けて移送することができる。
【発明を実施するための最良の形態】
【００１３】
本実施の形態におけるメッシュ状スパイラルスクリュー分級機について図面を参照しながら説明する。
図１は本実施の形態におけるメッシュ状スパイラルスクリュー分級機の概略側面図であり、図２は本実施の形態におけるメッシュ状スパイラルスクリュー分級機の概略上面図である。
図１に示すように、メッシュ状スパイラルスクリュー分級機（１）は、上面が開放された略直方体状のハウジング（２ａ）が、供給される被分級物の搬送方向の上流側が下になり、下流側が上になるように傾斜して備えられ、ハウジング（２ａ）は設置面に対して円柱状の支柱（３ａ）及び（３ｂ）により固定されている。
なお、ハウジング（２ａ）の傾斜角度は１５度程度である。
【００１４】
ハウジング（２ａ）の内部空間には、メッシュ状の羽根を有する螺旋状のスクリュー（４）が、ハウジング（２ａ）の長手方向に延びるように回転可能に内蔵されている。メッシュ孔の大きさは上流側に移送される固体の粒径よりも小さく設定される。
図２に示すように、ハウジング（２ａ）は、その上流側の幅が被分級物を供給し易いように、その下流側及び中央部の幅と比べてやや広いものである。
また、ハウジング（２ａ）の上流側の側面には、被分級物を供給するための切欠部（２ｂ）が開口されている。
【００１５】
スクリュー（４）は、ハウジング（２ａ）の下流端に配設されたモータ（５）により回転駆動される。
【００１６】
以上のように構成された本実施の形態におけるメッシュ状スパイラルスクリュー分級機の動作について説明する。
まず、傾斜したスクリュー（４）のハウジング（２ａ）の上流側に固体と液体とを含む被分級物、例えば土砂を含む水を供給する。
スクリュー（４）をモータ（５）により回転させると、スクリュー（４）の羽根が固体を上流側から下流側へと移送する。
ここで液体は、スクリュー（４）の羽根のメッシュ孔を通過するため移送されず、ハウジング（２ａ）の上流側に溜まることになり、ハウジング（２ａ）の上流側に備えられたドレン（６）から機外へ排出される。
この動作を繰り返すことにより、被分級物から固体を取り残すことなく移送することができる。
【００１７】
通常のメッシュ状でない羽根を持つスクリュー（図示せず）により、固体を上流側から下流側へ移送する場合、被分級物に含まれる液体も同時にメッシュ状でないスクリューの羽根により移送されるので重たくなり、メッシュ状でないスクリューに対して負担になったり、水切りが悪くなることがあったが、本実施の形態のようにスクリュー（４）の羽根をメッシュ状にすれば、液体をスクリュー（４）が無駄に移送することがなく、負担が少なくなり水切りも良くなる。
【００１８】
図３及び図４は本発明に係るメッシュ状スパイラルスクリュー分級機の変形例である。変形例では、スクリュー（４）に加えて固体の移送を補助するための横スクリュー（７）を備えている。
即ち、傾斜したハウジング（２ａ）及びスクリュー（４）における被分級物の搬送方向の上流側の側面には、スクリュー（４）に対して直角に横スクリュー（７）が配設されている。
横スクリュー（７）は羽根の直径がスクリュー（４）の羽根の半分程度の小型のスクリューであって、スクリュー（４）の長さ方向に沿って複数本（図示例では３本）が並設されている。
横スクリュー（７）は単数でもよいが、複数本（好ましくは２乃至５本）設けることにより、スクリュー（４）で取り残された固体を確実に再移送できるため好ましい。
【００１９】
複数の横スクリュー（７）も上面が開放されたハウジング（２ｃ）に覆われており、ハウジング（２ｃ）は設置面に対して円柱状の支柱（８）により固定されている。
スクリュー（４）のハウジング（２ａ）と横スクリュー（７）のハウジング（２ｃ）とが接する部分においては、スクリュー（４）のハウジング（２ａ）及び横スクリュー（７）のハウジング（２ｃ）は開口して繋がっており、互いのハウジング（２ａ）及び（２ｃ）間で被分級物の流通が可能となっている（図２は横スクリュー付スパイラルスクリュー分級機の概略上面図であるが、ハウジング（２ａ）及び（２ｃ）が開口して繋がっている下方部分を示している）。
【００２０】
横スクリュー（７）のハウジング（２ｃ）は、内蔵された横スクリュー（７）の軸と直角方向において、水平に設けられても良いが（図３参照）、スクリュー（４）のハウジング（２ａ）に合わせて若干傾斜していることが好ましい（図示せず）。これは、ハウジング（２ａ）とハウジング（２ｃ）との間の被分級物の移送が円滑に行えるためである。
横スクリュー（７）のハウジング（２ｃ）は、内蔵された横スクリュー（７）の軸方向において、水平に設けられても良いが、スクリュー（４）のハウジング（２ａ）から離れるに従って若干下方に傾斜するように設けられることが好ましい。
即ち、ハウジング（２ｃ）は、横スクリュー（７）の上流側が下方となるように傾斜していることが好ましい。これは、スクリュー（４）により取り残された固体を含む被分級物を、ハウジング（２ｃ）の底面に沿って横スクリュー（７）の上流側に流れ易くして再移送し易くするためである。
スクリュー（４）のハウジング（２ａ）の上流側の底面は、近傍に位置する横スクリュー（７）の羽根より下方にあるものである。
スクリュー（４）に最も近い横スクリュー（７）の羽根の高さは、スクリュー（４）の羽根の高さの下半分位の位置にあるものである。
【００２１】
なお、横スクリュー（７）は、ハウジング（２ｃ）の下流端に配設されたモータ（図示略）により回転駆動される。
【００２２】
以上のように構成された変形例におけるメッシュ状スパイラルスクリュー分級機の動作について説明する。
まず、傾斜したスクリュー（４）のハウジング（２ａ）の上流側に固体と液体とを含む被分級物、例えば土砂を含む水を供給する。
スクリュー（４）をモータ（５）により回転させると、スクリュー（４）の羽根が固体を上流側から下流側へと移送する。
ここで液体は、スクリュー（４）の羽根のメッシュ孔を通過するので移送されず、ハウジング（２ａ）の上流側に溜まることになり、ハウジング（２ａ）の上流側に備えられたドレン（６）から機外へ排出される。
【００２３】
しかし、一度の移送だけでは、被分級物から全ての固体をスクリュー（４）の下流側へ移送することは不可能である。
そこで、変形例においては、スクリュー（４）の上流側の側方に備えられた複数の横スクリュー（７）により、スクリュー（４）により取り残された被分級物の固体を再度移送させる構成を取っている。
即ち、スクリュー（４）のハウジング（２ａ）の上流側において、取り残された固体及び液体を含む被分級物が堆積するが、スクリュー（４）のハウジング（２ａ）の上流側において、横スクリュー（７）のハウジング（２ｃ）が備えられているため、取り残された被分級物が横スクリュー（７）のハウジング（２ｃ）に向かって流れることになる。
そして、横スクリュー（７）をモータ（５）を駆動させ回転させることにより、横スクリュー（７）のハウジング（２ｃ）の上流側から下流側に向かって固体を移送させる。
また、横スクリュー（７）の下流側まで移送された固体は、スクリュー（４）の上流側に受け渡され、再度、スクリュー（４）により上流側から下流側へ向かって移送される。
この動作を繰り返すことにより、被分級物から固体を取り残すことなく移送することができる。
なお、横スクリュー（７）のハウジング（２ｃ）の上流側に溜まった液体は、ハウジング（２ｃ）の上流側に備えられたドレン（９）から機外へ排出される。
【００２４】
また、上記変形例において、横スクリュー（７）をメッシュ状の羽根を備えるものとしてもよい。
これにより、スクリュー（４）により取り残された固体を横スクリュー（７）で再移送させる際にも、液体を横スクリュー（７）の羽根が無駄に移送することがなく、水切りも良くなり、より一層効率良く液体と固体とを分級することができる。
【産業上の利用可能性】
【００２５】
本発明は、分級機において、液体と固体とを含む被分級物から固体のみを移送するために好適に利用できる。
【図面の簡単な説明】
【００２６】
【図１】本発明におけるメッシュ状スパイラルスクリュー分級機の概略側面図
【図２】本発明におけるメッシュ状スパイラルスクリュー分級機の概略上面図
【図３】本発明におけるメッシュ状スパイラルスクリュー分級機の変形例を示す断面側面図
【図４】本発明におけるメッシュ状スパイラルスクリュー分級機の変形例を示す断面上面図
【図５】従来の分級機の概略側面図
【符号の説明】
【００２７】
１  メッシュ状スパイラルスクリュー分級機
２ａ  ハウジング
３ａ，３ｂ  支柱
４  スクリュー
７  横スクリュー
【図１】
2009101281.tif 000003
【図２】
2009101281.tif 000004
【図３】
2009101281.tif 000005
【図４】
2009101281.tif 000006
【図５】
2009101281.tif 000007